(57)【要約】【課題】  ＴＯＰＳ仕様を満たしながら作業視界と乗降のしやすさを確保することができる建設機械のキャノピ構造を提供する。【解決手段】  上部旋回体の前部に機体幅方向に揺動する作業アタッチメントを有し、機体幅方向一方側に運転席が配置され、機体幅方向他方側に機器収納部が配置されている建設機械において、運転席５の周囲に形成されるキャノピが、運転席５の前方に立設される前側支柱１６と、運転席５の後方に立設される後側支柱１７と、運転席５の乗降側側方に立設される横側支柱１８と、各支柱の上端部を連結して剛体を構成するルーフ２４とから構成され、前側支柱１６を機器収納部６側に寄せて配置するとともに横側支柱１８を操作体１５の外側に配置することにより、運転席側に振られた作業アタッチメント１０の作業視界を確保するための開放部Ｓ′を運転席５の斜め前方に形成したことを特徴とする。【選択図】        図４
2004268907.tif 000002
【特許請求の範囲】
【請求項１】
上部旋回体の前部に機体幅方向に揺動する作業アタッチメントが設けられ、上記上部旋回体の機体幅方向一方側に運転席が配置され、機体幅方向他方側に機器類の収納される機器収納部が配置され、上記運転席の側方に上記作業アタッチメント等を操作するための操作体が備えられている建設機械において、
上記運転席に設けられるキャノピが、上記運転席の乗降側側方に配置される横側支柱と、乗降側と反対側に配置される支柱であって平面から見た場合に上記横側支柱に対して仮想的に結ばれる直線が上記運転席を横切る状態で上記横側支柱よりも後方に配置される後側支柱と、上記横側支柱および上記後側支柱の各上端部を連結して剛体を構成するルーフとから構成されていることを特徴とする建設機械のキャノピ構造。
【請求項２】
上部旋回体の前部に機体幅方向に揺動する作業アタッチメントが設けられ、上記上部旋回体の機体幅方向一方側に運転席が配置され、機体幅方向他方側に機器類の収納される機器収納部が配置され、上記運転席の側方に作業アタッチメント等を操作するための操作体が備えられている建設機械において、
上記運転席の周囲に形成されるキャノピが、上記運転席の前方に立設される前側支柱と、上記運転席の後方に立設される後側支柱と、上記運転席の乗降側側方に立設される横側支柱と、各支柱の上端部を連結して剛体を構成するルーフとから構成され、上記前側支柱を上記機器収納部側に寄せて配置するとともに上記横側支柱を上記操作体の外側に配置することにより、上記運転席側に振られた上記作業アタッチメントの作業視界を確保するための開放部を運転席の斜め前方に形成したことを特徴とする建設機械のキャノピ構造。
【請求項３】
上記運転席に着座したオペレータの腰部よりも前側に上記横側支柱が立設されている請求項１または２記載の建設機械のキャノピ構造。
【請求項４】
上記後側支柱および上記横側支柱が長方形断面を有する角形鋼管からなり、その長辺を前後方向に向けて配置してなる請求項１〜３のいずれか１項に記載の建設機械のキャノピ構造。
【請求項５】
上記ルーフとして上記後側支柱と上記横側支柱の各上端を連結する連結部材を有し、この連結部材がオペレータの頭上を横切るように配置されている請求項１〜４のいずれかに１項に記載の建設機械のキャノピ構造。
【請求項６】
上記後側支柱および上記横側支柱の各上端が、平面から見て後向きにコ字状をなす前側連結部材で接続されている請求項１〜５のいずれか１項に記載の建設機械のキャノピ構造。
【請求項７】
上記前側支柱は、上記後側支柱または上記横側支柱よりも断面積の小さい部材で構成されている請求項２〜６のいずれか１項に記載の建設機械のキャノピ構造。
【請求項８】
上記前側支柱と上記後側支柱との距離をＬａ、上記後側支柱と上記横側支柱との距離をＬｂ、上記横側支柱と上記前側支柱との距離をＬｃとするとき、各支柱間の距離をＬａ＜ＬｂかつＬａ＜Ｌｃとした請求項２〜７のいずれか１項に記載の建設機械のキャノピ構造。
【請求項９】
上記後側支柱が、縦方向に立設された一対の支柱で構成されている請求項２または３記載の建設機械のキャノピ構造。
【発明の詳細な説明】
【技術分野】
【０００１】
本発明は、機体が横転した際にオペレータを保護するための建設機械のキャノピ構造に関するものである。
【背景技術】
【０００２】
機体が万一、横転したときにシートベルトで支えられたオペレータが押しつぶされる可能性を少なくすることを目的としてＴＯＰＳ（Tip-Over Protection Structure）構造のキャノピを採用した建設機械が知られている。（例えば、特許文献１参照）。
【０００３】
上記ＴＯＰＳ仕様のキャノピは、通常、オペレータの周囲に配置された４本支柱を基本構造としており、各支柱の上端にルーフが取り付けられている。
【特許文献１】特開２００１−３０３６１８号公報（第(3)頁、図２）
【発明の開示】
【発明が解決しようとする課題】
【０００４】
一方、上部旋回体の前部にスイングブラケット部が備えられ、そのスイングブラケット部にブーム基部が連結されてフロントアタッチメント全体がスイング動作する、いわゆるスイングブームを備えた油圧ショベルでは、上部旋回体を右旋回させ、ブームをその逆方向（左側）にスイングさせた状態で側溝掘削が行われる。
【０００５】
このようなブームの左スイング動作は、フロントアタッチメントをオペレータに近づけて作業を行うことができるという利点があるため、側溝掘削では多く行われている。
【０００６】
このとき、ＴＯＰＳ構造のキャノピであって４本支柱であると、左前方に配置されている支柱が側溝掘削時の作業視界を妨げるという問題がある。
【０００７】
特に、上部旋回体後端の旋回半径が車幅内に収まるように構成されたいわゆる後方小旋回型のミニショベルでは、運転席前側のスペースが狭くなりがちであり、左前方に配置された支柱が運転席空間を圧迫することになる。しかも、その支柱の存在によって乗降範囲の横幅が著しく制限され、乗降しにくくなるという問題もある。
【０００８】
本発明は以上のような従来の建設機械のキャノピ構造における課題を考慮してなされたものであり、ＴＯＰＳ仕様を満たしながらスイングブームを備えた建設機械の作業視界と乗降のしやすさを確保することができる建設機械のキャノピ構造を提供するものである。
【課題を解決するための手段】
【０００９】
本発明に係る建設機械のキャノピ構造は、(ａ)２本支柱で構成された第一の形態と、(ｂ)３本支柱で構成された第二の形態と、(ｃ)３本支柱のうち後側支柱が一対のパイプで構成された第三の形態がある。
【００１０】
(ａ)第一の形態は、上部旋回体の前部に機体幅方向に揺動する作業アタッチメントが設けられ、上部旋回体の機体幅方向一方側に運転席が配置され、機体幅方向他方側に機器類の収納される機器収納部が配置され、運転席の側方に上記作業アタッチメント等を操作するための操作体が備えられている建設機械において、運転席の周囲に形成されるキャノピが、運転席の乗降側側方に配置される横側支柱と、乗降側と反対側に配置される支柱であって平面から見た場合に横側支柱に対して仮想的に結ばれる直線が運転席を横切る状態で横側支柱よりも後方に配置される後側支柱と、横側支柱および後側支柱の各上端部を連結して剛体を構成するルーフとから構成されていることを要旨とする。
【００１１】
(ｂ)第二の形態は、上部旋回体の前部に機体幅方向に揺動する作業アタッチメントが設けられ、上部旋回体の機体幅方向一方側に運転席が配置され、上部旋回体の機体幅方向他方側に機器類の収納される機器収納部が配置され、運転席の側方に作業アタッチメント等を操作するための操作体が備えられている建設機械において、運転席の周囲に形成されるキャノピが、運転席の前方に立設される前側支柱と、運転席の後方に立設される後側支柱と、運転席の乗降側側方に立設される横側支柱と、各支柱を連結して剛体を構成するルーフとから構成され、前側支柱を機器収納部側に寄せて配置するとともに横側支柱を操作体の外側に配置することにより、運転席側に振られた作業アタッチメントの作業視界を確保するための開放部を運転席の斜め前方に形成したことを要旨とする。
【００１２】
上記第一の形態に従えば、運転者の前方と後方に広い作業視界を確保することができ、後方視界が広いと、例えば上部旋回体の後端部が旋回時に車幅から突出する構成の建設機械であっても後方確認が容易に行える。また、平面から見て２本の支柱を仮想的に結ぶ直線が運転席を横切るように両支柱を配置しているため、運転者の体を中心としてその左右両側に支柱が存在することになり、万一、機体が横転した場合でも少ない柱数で運転者を効果的に保護することができる。
【００１３】
上記第二の形態に従えば、二本支柱に比べてより高い強度が確保され作業アタッチメントを運転席側に振って例えば側溝掘削を行う場合でも、左前方に開放部が形成されていることによって作業視界が改善され、乗降性も良好となる。
【００１４】
また、上記第一および第二の形態において、横側支柱は、運転席に着座したオペレータの腰部よりも前側に立設することが好ましい。それにより、万一、機体が横転した場合には即座にその横側支柱に手を掛けることができ、オペレータがキャノピ外に放出されることを防止することができる。
【００１５】
また、後側支柱および横側支柱を長方形断面を有する角形鋼管で構成し、その長辺を前後方向に向けて配置することが好ましい。それにより、横転時にオペレータを上下方向に通る幅広面で確実に受けることができ、かつキャノピの剛性を高めることができる。
【００１６】
また、ルーフとして後側支柱と横側支柱の各上端を連結する連結部材を有し、この連結部材がオペレータの頭上を横切るように後側および横側支柱を配置することが好ましい。それにより、落下物に対してもオペレータを保護することができる。
【００１７】
また、後側支柱および横側支柱の各上端を、平面から見て後向きにコ字状をなす前側連結部材で接続すれば、支柱上端部の剛性をより高めることができるとともに、ルーフ前部を安定して固定することができる。
【００１８】
上記第二の形態において、前側支柱の断面積を、後側支柱または横側支柱のそれよりも小さい部材で構成すれば、右前方視界を確保することができる。
【００１９】
また、前側支柱と後側支柱との距離をＬａ、後側支柱と横側支柱との距離をＬｂ、横側支柱と前側支柱との距離をＬｃとするとき、各支柱間の距離をＬａ＜ＬｂかつＬａ＜Ｌｃとすることが好ましい。それにより、横転時に横側支柱に加わる荷重を前側支柱と後側支柱とに効果的に分散させることができる。
【００２０】
上記第三の形態において、後側支柱は、縦方向に立設された一対の支柱で構成することもできる。このように、後側支柱を一対の支柱で構成すれば、キャノピの強度をより高めることができる。
【発明の効果】
【００２１】
以上説明したことから明らかなように、請求項１の本発明によれば、最小限の支柱の数でキャノピを構成したため、運転者の前方と後方に広い作業視界を確保することができる。また、運転席を横切るようにして且つ前後方向にシフトされた状態で各支柱を配置したため、キャノピ内の運転者を効果的に保護することができる。
【００２２】
また、例えば上部旋回体の後端部が旋回時に車幅から突出する構成の建設機械であっても後方確認が容易に行える。
【００２３】
請求項２の本発明によれば、運転席の周囲に形成されるキャノピを、前側支柱と、後側支柱と、横側支柱と、各支柱を連結して剛体を形成するルーフとで構成し、前側支柱を機器配置部側に寄せて配置するとともに横側支柱を操作体の外側に配置したため、運転席の斜め前方に、運転席側に振られた作業アタッチメントの作業視界を確保するための開放部を形成することができ、それにより、機体の左前方が開放されて作業視界が改善され、乗降性が良好になる。
【００２４】
請求項３の本発明によれば、上記横側支柱を、運転席に着座したオペレータの腰部よりも前側に立設したため、万一、機体が横転した場合には即座に横側支柱に手を掛けることができ、オペレータがキャノピ外に放出されることを防止することができる。
【００２５】
請求項４の本発明によれば、横転時にオペレータを上下方向に通る幅広面で確実に受けることができ、かつキャノピの剛性を高めることができる。
【００２６】
請求項５の本発明によれば、落下物に対してもオペレータを保護することができる。
【００２７】
請求項６の本発明によれば、支柱上端部の剛性をより高めることができるとともに、ルーフ前部を安定して固定することができる。
【００２８】
請求項７の本発明によれば、右前方視界を確保することができる。
【００２９】
請求項８の本発明によれば、横転時に横側支柱に加わる荷重を前側支柱と後側支柱とに効果的に分散させることができる。
【００３０】
請求項９の本発明によれば、後側支柱を一対の支柱で構成したため、キャノピの強度をより高めることができる。
【発明を実施するための最良の形態】
【００３１】
以下、図面に示した実施の形態に基づいて本発明を詳細に説明する。
【００３２】
図１は本発明に係る第一の形態を示したものであり、キャノピ仕様の小型ショベル、通称、ミニショベルを示したものである。
【００３３】
同図に示すミニショベル１は上部旋回体後端の旋回半径が下部走行体の車幅内に略収まるように構成された後方小旋回タイプのものであり、クローラ２，２を装着した下部走行体３上に上部旋回体４を旋回自在に搭載している。
【００３４】
この上部旋回体４の旋回フレーム左側には、操縦装置、運転席５を配置するための運転スペースＡが確保され、この運転スペースＡの右側に油圧機器やタンク類を収納するための機器スペースＢが確保されている。なお、６は機器類をカバーしている機器収納部としての機器カバーであり、７は運転席５の後方に設けられ、エンジンを収納しているエンジンカバーである。
【００３５】
旋回フレームの前部には接続用ブラケット８が突出しており、この接続用ブラケット８に対し、垂直軸まわりに回転できるスイングブラケット９が連結されている。
【００３６】
このスイングブラケット９にはフロントアタッチメントを構成しているブーム１０の基端部が接続されており、ブームシリンダ１１を伸縮させることによりそのブーム１０を起伏させることができるようになっている。
【００３７】
なお、スイングブラケット９は図示しないスイングシリンダ（旋回フレームの右側に配置されている）を伸縮させることによって矢印Ｃ方向にスイング動作するようになっている。
【００３８】
運転スペースＡに取り付けられる運転席５の座面両側にはコントロールボックス１２，１３が設けられ、各コントロールボックス１２，１３の前側端部に操作体としての操作レバー１４，１５が備えられている。
【００３９】
上記運転席５の右側後方には後側支柱１７が立設され、運転席５の左側（乗降側側方）には横側支柱１８が立設されている。
【００４０】
図２は、その支柱の構成を示したものであり、(ａ)は正面図、(ｂ)は側面図、(ｃ)は平面図である。
【００４１】
同図(ａ)および(ｂ)において、後側支柱１７は偏平断面を有する角パイプからなり、その下端に設けられたブラケット１７ａは、機器カバー６の運転席側に配置された取付ステー（図示しない）に固定されている。
【００４２】
横側支柱１８も同じく偏平断面を有する角パイプからなり、その下端に設けられたブラケット１８ａは、エンジンカバー７の左前部７ａに対応する旋回フレーム上に取付ステー（図示しない）を介して固定されている。なお、横側支柱１８の高さ方向略中間部には乗降時にオペレータが掴むための把手１８ｂが備えられている。
【００４３】
次に、支柱１７および１８の上部構造について説明する。
【００４４】
同図(ｃ)に示すように、後側支柱１７と横側支柱１８の各上端部には、偏平断面を有する角パイプで構成された後側連結部材（連結部材）１９が略水平に架設されており、この後側連結部材１９は、平面から見て機体幅方向に通る仮想線Ｄに対して角度θ傾斜しており、運転席５に着座したオペレータの頭上を横切る状態で配置されている。それにより、頭上からの落下物に対してオペレータを保護するようになっている。
【００４５】
また、後側支柱１７と横側支柱１８はさらに前側連結部材２０によって接続されている。
【００４６】
この前側連結部材２０は、後向きにコ字状に成形された丸パイプからなり、前後方向に平行するアーム部２０ａおよび２０ｂと、機体幅方向に配置される前側梁部２０ｃとから構成されている。
【００４７】
上記後側支柱１７と横側支柱１８を上記した関係に配置することによって、万一、機体が矢印Ｅ方向に横転した場合であっても、横側支柱１８に作用する荷重を、横側支柱１８およびその横側支柱１８に対して後側連結部材１９を介して接続されている後側支柱１７で分担し、両支柱１７および１８が大きく変形または破損することがないようにしている。
【００４８】
さらに、横側支柱１８を操作レバー１５の近傍に配置しているため、オペレータはその操作レバー１５から離した手を無理なく、素早くその横側支柱１８に掛けることができるようになっている。しかも、横側支柱１８は運転席５に着座したオペレータの横側に配置されているため、横側支柱１８に手を掛けた状態でぶら下がるのではなく、その横側支柱１８を支えとして踏ん張ることができ、オペレータがキャノピから飛び出ることを防止することができる。
【００４９】
上記構成では、運転席の前方に支柱が存在しないため、大きな開放部Ｓが形成されて作業視界が広くなり、例えばフロントアタッチメントを運転席側にスイングさせて側溝掘削を行う場合であっても視界が妨げられず作業がしやすくなる。しかも、後方小旋回タイプのミニショベル１では運転席５前側のスペースが狭くなりがちであるが、前方に支柱が存在しないことによって圧迫感を解消することもできる。
【００５０】
なお、２２は前側連結部材２０の上面に設けられ、雌ねじ部を有するルーフ固定金具であり、２３は後側連結部材１９の上面に設けられ同じく雌ねじ部を有するルーフ固定金具である。
【００５１】
これらのルーフ固定金具に対し、図３に示すように樹脂成形されたルーフ２４が取り付けられる。
【００５２】
同図(ａ)はルーフ２４の正面図、(ｂ)は平面図、(ｃ)は側面図である。
【００５３】
ルーフ２４には上記したルーフ固定金具２２，２２の配置に対応して固定孔２４ａ，２４ａが、上記したルーフ固定金具２３，２３の配置に対応して固定孔２４ｂ，２４ｂがそれぞれ形成されている。上記各固定孔２４ａ，２４ｂを通したボルトをルーフ固定金具２２，２３の各雌ねじ部に螺合させることにより、ルーフ２４が前側連結部材２０と後側連結部材１９に支持された状態で固定され、剛体からなるキャノピが形成される。
【００５４】
なお、上記構成を有するキャノピ構造において、後側支柱１７と横側支柱１８の各下端部同士を図示しない下部連結部材で連結すれば、キャノピ全体が箱形構造となって補強され強度を高めることができる。
【００５５】
図４は本発明に係る第二の形態を示したものである。
【００５６】
なお、以下の説明において図１と同じ構成要素については同一符号を付してその説明を省略する。
【００５７】
図４に示す小型ショベルでは、運転席５の周囲を囲むようにしてその右側（機器カバー６側）前方に前側支柱１６が、運転席５の右側後方に後側支柱１７が、運転席５の左側（乗降側側方）に横側支柱１８がそれぞれ立設されている。
【００５８】
図５は、その支柱の構成を示したものであり、(ａ)は正面図、(ｂ)は側面図、(ｃ)は平面図である。
【００５９】
同図(ａ)および(ｂ)において、前側支柱１６は後向きに傾斜した状態に成形された丸パイプからなり、その下端に設けられた固定板１６ａは、フロアプレート４ａの前側縁部４ｂ（図４参照）にボルトで固定されている。
【００６０】
同図(ｃ)において、前側梁部２０ｃの右端部には取付板部２１ａを有するブラケット２１が固定され、その取付板部２１ａに対応して前側支柱１６の上端に取付板部１６ｂが固定され、両取付板部２１ａおよび１６ｂを重ね合わせてボルトで締結することにより、前側連結部材２０と前側支柱１６とが接続されている。
【００６１】
前側支柱１６の上端中心と後側支柱１７の上端中心との距離をＬａとし、後側支柱１７の上端中心と横側支柱１８の上端中心との距離をＬｂとし、横側支柱１８の上端中心と前側支柱１６の上端中心との距離をＬｃとするとき、Ｌａ＜ＬｂかつＬａ＜Ｌｃとなるように各支柱１６〜１８が配置される。
【００６２】
各支柱１６〜１８を上記した関係に配置することによって、万一、機体が矢印Ｅ方向に横転した場合であっても、横側支柱１８ａに作用する荷重を後側連結部材１９および前側連結部材２０を通じて後側支柱１７と前側支柱１６とに効果的に分散させ各支柱１６〜１８が大きく変形または破損することがないようにしている。
【００６３】
さらに、前側支柱１６を機器カバー６側に寄せて配置するとともに横側支柱１８を操作レバー１５の外側に配置しているため、運転席の斜め前方に開放部Ｓ′（図４参照）が形成されて作業視界が広くなり、例えばフロントアタッチメントを運転席側にスイングさせて側溝掘削を行う場合であっても視界が妨げられず作業がしやすくなる。しかも、後方小旋回タイプのミニショベル１では運転席５前側のスペースが狭くなりがちであるが、左前方に支柱が存在しないことによって圧迫感を解消することもできる。
【００６４】
図６は本発明に係る第三の形態を示したものである。
【００６５】
図６において、前側支柱１６と横側支柱１８は上述した第二の形態と同じ構成であるが、後側支柱１８の代わりに一対の後部支柱３０，３０が設けられている。
【００６６】
一対の後部支柱３０は丸パイプからなりその下端は、機体車幅方向に配置された連結部３０ａによって接続されており、全体としてＵ字状に形成されている。
【００６７】
連結部３０はエンジンカバー７から突出する取付ステー（図示しない）に対しブラケット３１を介して固定されている。
【００６８】
各支柱１６〜１８の上端は薄板状の金属製プレート３２に固定されており、このプレート３２にさらにルーフ２４がボルトで固定されている。なお、プレート３２に代えて窓枠状に組まれたパイプフレームを使用することもできる。
【００６９】
この構成においてもオペレータの左前方視界を遮る支柱が存在しないため、広い作業視界を確保することができる。
【００７０】
また、横側支柱１８以外の支柱はすべてその横側支柱１８よりも断面の小さい丸パイプで構成しているため、視界をより広く確保することができる。特に、オペレータの右側視界を確保することができるようになる。
【００７１】
なお、後部支柱３０は上記したＵ字状に限らず、独立した２本の支柱であってもよい。
【００７２】
また、上記した第一の形態から第三の形態において、各支柱間をオペレータの邪魔にならないように連結する連結部材を設けてもよい。これによれば、より強度面で有利なキャノピを構成することができる。
【００７３】
さらにまた、図４または図６において、前側支柱１６を途中で後方に向けて折り曲げ、後側支柱１７と、或いは後部支柱３０の中間部と接続すれば、第一の形態に示したような二本柱の支柱と同様の良好な作業視界を確保しつつ、キャノピの強度を高めることができる。
【図面の簡単な説明】
【００７４】
【図１】本発明に係る第一の形態のキャノピ構造を示す斜視図である。
【図２】(ａ)は図１に示すキャノピ支柱の正面図、(ｂ)は側面図、(ｃ)は平面図である。
【図３】(ａ)は図１に示すキャノピルーフの正面図、(ｂ)は平面図、(ｃ)は側面図である。
【図４】本発明に係る第二の形態のキャノピ構造を示す斜視図である。
【図５】(ａ)は図４に示すキャノピ支柱の正面図、(ｂ)は側面図、(ｃ)は平面図である。
【図６】本発明に係る第三の形態のキャノピ構造を示す斜視図である。
【符号の説明】
【００７５】
１  ミニショベル
２  クローラ
３  下部走行体
４  上部旋回体
５  運転席
６  機器カバー
７  エンジンカバー
９  スイングブラケット
１０  ブーム
１２，１３  コントロールボックス
１４，１５  操作レバー
１６  前側支柱
１７  後側支柱
１８  横側支柱
１９  後側連結部材
２０  前側連結部材
２４  ルーフ
Ｓ  開放部
Ｓ′  開放部
【図１】
2004268907.tif 000003
【図２】
2004268907.tif 000004
【図３】
2004268907.tif 000005
【図４】
2004268907.tif 000006
【図５】
2004268907.tif 000007
【図６】
2004268907.tif 000008